(57)【要約】【課題】  本発明は、間伐材の有効利用を図ると共に、当該間伐材に複雑な製材加工を施すことなく、ログハウスの壁を容易に構築することができる壁組構造を提供することを目的とする。【解決手段】  ログハウスの壁組構造であって、木材１１を長手方向に切断して形成した平面部１６を有し、平面部１６に、木材１１の長手方向に平行な案内溝１８が形成された柱部材１２と、木材１１を長手方向に切断して形成した上面３０及び下面３２を有し、上面３０に、木材１１の長手方向に平行な通水溝３４が形成され、且つ木材１１両端の小口面３６にそれぞれ嵌入孔３８が形成された壁用部材１４と、嵌入孔３８に嵌入される太ぼ４０とを含んで構成され、２本の柱部材１２、１２を、案内溝１８を相対させた状態で立設し、嵌入孔３８に太ぼ４０を嵌入した複数の壁用部材１４が、案内溝１８に太ぼ４０を挿嵌しつつ、２本の柱部材１２、１２間に積み上げられたことを特徴とする。【選択図】  図１
2008095344.tif 000002
【特許請求の範囲】
【請求項１】
ログハウスの壁組構造であって、
木材を長手方向に切断して形成した平面部を有し、該平面部に、該木材の長手方向に平行な案内溝が形成された柱部材と、
木材を長手方向に切断して形成した上面及び下面を有し、該上面に、該木材の長手方向に平行な通水溝が形成され、且つ該木材の長手方向の両端の小口面にそれぞれ嵌入孔が形成された壁用部材と、
該嵌入孔に嵌入される太ぼと
を含んで構成され、
２本の前記柱部材を、前記案内溝を相対させた状態で立設し、
前記嵌入孔に前記太ぼが嵌入された複数の前記壁用部材が、前記案内溝に前記太ぼを挿嵌しつつ前記２本の柱部材間に積み上げられたことを特徴とする壁組構造。
【請求項２】
前記通水溝の底部が、一方の前記小口面から他方の前記小口面に向かって傾斜していることを特徴とする請求項１に記載の壁組構造。
【請求項３】
前記壁用部材に、前記上面と前記下面とを貫く貫通孔が形成され、
積み上げられた前記複数の壁用部材のそれぞれの該貫通孔に通しボルトを挿通し、ナットを螺嵌することによって、該複数の壁用部材が接合されたことを特徴とする請求項１又は請求項２に記載の壁組構造。
【発明の詳細な説明】
【技術分野】
【０００１】
本発明は、ログハウスの壁組構造に関する。
【背景技術】
【０００２】
従来のログハウスにおける壁組の構造としては、木材を製材して得られる複数の壁用部材（ログ材）を交互に直交させて井桁に積み上げた構造や、２本の柱部材間に複数の壁用部材を積み重ねた構造が一般的である。そして、前者の壁組構造に関しては、当該構造に好適な壁用部材（ログ材）が種々開示されている（例えば、特許文献１及び２参照）。
【０００３】
一方、後者の壁組構造に関しては、例えば、木材を長手方向に切断して形成した平面部に、当該木材の長手方向に平行な溝を形成した柱部材を、所定の間隔を空けて複数立設し、これらの柱部材間に、小口面にほぞを形成した複数の壁用部材を、当該ほぞを柱部材の溝に挿入しつつ積み重ねる構造がある。更には、壁用部材の小口面にも当該柱部材に形成した溝と同様の溝を形成して、柱部材間に壁用部材を積み上げると共に、柱部材の溝と壁用部材の溝とを相対させ、この相対させた溝同士で形成された空間に、別体の接合部材を嵌入することによって柱部材と壁用部材とを接合するという構造等も開示されている（例えば、特許文献３及び４参照。）。
【０００４】
また、柱部材間に積み上げられる壁用部材に関しても、上面側に当該壁用部材の長手方向に沿って凸条を形成し、下面側に凹溝を形成したログハウス用木材（壁用部材）等が開示されている（例えば、特許文献５参照。）。
【０００５】
【特許文献１】特開平１０−８８７０４号公報（図３）
【特許文献２】特開平７−３１７１７７号公報（図１、図３）
【特許文献３】特公平２−５８６２号公報（図１〜図４）
【特許文献４】実開平５−５７１２０号公報（図１）
【特許文献５】特開平５−２５８６８号公報（図１）
【発明の開示】
【発明が解決しようとする課題】
【０００６】
しかし、複数の壁用部材（ログ材）を交互に直交させて井桁に積み上げる構造では、使用する壁用部材の製材、特に交差部の加工が非常に困難であると共に、手間が掛かるため、結果としてログハウスの建築コストが高くなる。
【０００７】
また、柱部材間に壁用部材を積み上げる態様においても、壁用部材へのほぞや凸条の形成、或いは特許文献３、４に開示された複雑な形状を有する接合部材及び当該接合部材を嵌入可能な溝の形成等は加工作業に手間が掛かるため、上記と同じく建築コストが高くなる。
【０００８】
更に、積み上げられた壁用部材間には雨水が侵入する恐れがあり、特許文献２〜５に開示された壁用部材を適用すれば、壁用部材間に侵入した雨水がログハウスの内部まで到達し難い。しかし、上記の通り、これらの特許文献に開示された何れの壁用部材も加工作業に手間が掛かるため、建築コストが高くなる。
【０００９】
更に、資源の有効利用、建築コストの抑制等の観点から、ログハウスの建築に間伐材が積極的に利用されつつある。間伐材は形状や寸法にばらつきがあり、一般の建材に比較して材料コストが抑制できるため、結果としてログハウスの建築コストを抑制することができる。しかし、例え間伐材を利用したとしても、上記のような複雑な加工作業を行うと製材コストが高くなるため、結果として建築コストの抑制が図られない。
【００１０】
また更に、木材には乾燥収縮によって変形やひび割れを生じる恐れがあるが、間伐材には乾燥収縮による変形等が特に生じ易く、間伐材を利用する上では、この乾燥収縮による変形やひび割れを如何にして抑制するかも重要課題の一つであった。
【００１１】
そこで本発明者は、上記の問題点に鑑み、間伐材の有効利用を図ると共に、当該間伐材に複雑な製材加工を施すことなく、ログハウスの壁を容易に構築することができる壁組構造を提供するべく鋭意検討を重ねた結果、本発明に至ったのである。
【課題を解決するための手段】
【００１２】
即ち、本発明の壁組構造の要旨とするところは、木材を長手方向に切断して形成した平面部を有し、該平面部に、該木材の長手方向に平行な案内溝が形成された柱部材と、木材を長手方向に切断して形成した上面及び下面を有し、該上面に、該木材の長手方向に平行な通水溝が形成され、且つ該木材の長手方向の両端の小口面にそれぞれ嵌入孔が形成された壁用部材と、該嵌入孔に嵌入される太ぼとを含んで構成され、２本の前記柱部材を、前記案内溝を相対させた状態で立設し、前記嵌入孔に前記太ぼが嵌入された複数の前記壁用部材が、前記案内溝に前記太ぼを挿嵌しつつ前記２本の柱部材間に積み上げられたことにある。
【００１３】
また、かかる壁組構造において、前記通水溝の底部が、一方の前記小口面から他方の前記小口面に向かって傾斜していてもよい。
【００１４】
更に、かかる壁組構造において、前記壁用部材には、前記上面と前記下面とを貫く貫通孔が形成され、積み上げられた前記複数の壁用部材のそれぞれの該貫通孔に通しボルトを挿通し、ナットを螺嵌することによって、該複数の壁用部材が接合されることが好ましい。
【発明の効果】
【００１５】
本発明の壁組構造によると、複数の柱部材間に、複数の壁用部材を積み上げるのみで、容易にログハウスの壁を構築することができる。特に、本発明に係る柱部材や壁用部材は、製材が非常に容易であるため、製材コストを抑制することができる。また、木材として間伐材を利用することによって、材料コストの抑制も図ることができるため、結果としてログハウスの建築コストを抑制することができる。
【００１６】
また、本発明に係る壁用部材には、上面に通水溝が形成されているため、積み上げられた壁用部材間に雨水が侵入した際、この雨水を、通水溝を介して柱部材の案内溝に導水することができる。つまり、壁用部材間に侵入した雨水は、通水溝内に積極的に導かれるため、通水溝からログハウスの内部側への雨水の侵入が阻止される。
【００１７】
更に、当該通水溝は、壁用部材間に侵入した雨水をログハウスの外部へ排水する機能を有すると共に、壁用部材に生じる変形やひび割れを抑制する効果がある。木材には、乾燥収縮による変形やひび割れが生じ、特に間伐材においては、当該変形やひび割れの発生が特に問題となっていたが、予め壁用部材に通水溝を形成しておくことによって、通水溝が壁用部材に生じる変形やひび割れを吸収して、壁用部材への変形やひび割れの発生を抑制することができ、材料コストの抑制が図られる間伐材を積極的に利用することが可能となる。
【００１８】
また更に、当該通水溝の底部を傾斜させることによって、通水溝に流入した雨水を、より積極的に柱部材の案内溝へと導水することができ、壁用部材間からの雨水の排水を更に効率的に行うことができる。
【００１９】
また、本発明の壁組構造において、積み上げられた複数の壁用部材を通しボルトとナットで接合することによって、壁自体の強度が向上されると共に、ログハウス自体の強度の向上も図られる。
【発明を実施するための最良の形態】
【００２０】
以下、本発明の壁組構造の実施形態について、図面に基づき説明する。図１及び図２に示した本実施の形態に係る壁組構造１０は、主に柱部材１２、１２ａと、壁用部材１４とから構成されている。なお、図１は、図２中の矢印Ａの方向から見た斜視図であり、符号Ｓはログハウスの内部を意味する。柱部材１２は、図３（ａ）〜（ｃ）にも示したように、間伐材等の木材１１をその長手方向に切断して形成した平面部１６を２面有しており、２面の平面部１６、１６が直角をなしている。そして、これらの平面部１６、１６にはそれぞれ、木材１１の長手方向に平行な案内溝１８が形成されている。また、図３（ｄ）〜（ｆ）に示した柱部材１２ａは、柱部材１２の他の実施形態であり、間口の広い壁を構築する際に使用し得る柱部材である。この柱部材１２ａにも平面部１６が２面形成されているが、これら２面の平面部１６、１６は平行をなしている。そして、これら２面の平面部１６、１６にも、上記柱部材１２と同様、案内溝１８がそれぞれ形成されている。
【００２１】
なお、柱部材１２、１２ａを立設した際の上端面２０には、この柱部材１２、１２ａと梁部材１３（図５参照）とをピン接合するためのピン挿入口２４が形成されており、下端面２２には、土台２６にピン接合するためのピン挿入口２４が形成されている。
【００２２】
一方、壁用部材１４は、図４（ａ）〜（ｃ）にも示したように、間伐材等の木材１１をその長手方向に切断して形成した上面３０及び下面３２を有しており、これら上面３０及び下面３２は平行をなしている。そして、上面３０には、木材１１の長手方向に平行な通水溝３４が形成されている。更に、木材１１の長手方向の両端、即ち壁用部材１４の両端の小口面３６、３６には、後述する太ぼ４０（図５参照）を嵌入するための嵌入孔３８が形成されている。
【００２３】
本実施形態の壁組構造１０は、まず土台２６上に複数本の柱部材１２、１２ａを、所定の間隔を空けて立設する（図２及び図５参照）。このとき、隣接する柱部材１２同士及び柱部材１２と柱部材１２ａは、それぞれの平面部１６に形成された案内溝１８を相対させた状態で立設されている。なお、本実施形態では、土台２６上への柱部材１２、１２ａの立設は、土台２６上に立設されたピン２７を、柱部材１２、１２ａの下端面２２に形成されたピン挿入口２４に挿入することによって接合されているが、柱部材１２、１２ａの立設方法は特に限定されず、公知のあらゆる立設方法が適用できる。
【００２４】
次に、壁用部材１４の小口面３６に形成された嵌入孔３８に太ぼ４０を嵌入する。そして、図５に示したように、この太ぼ４０が嵌入された複数の壁用部材１４、１４、・・・が、通水溝３４が形成された上面３０を上向きにして、壁用部材柱部材１２、１２間及び柱部材１２、１２ａ間に積み上げられることによって、壁Ｗが構築される。なお、複数の壁用部材１４、１４、・・・を積み上げる際には、上記太ぼ４０を柱部材１２、１２ａの案内溝１８に挿嵌しつつ積み上げることによって、柱部材１２、１２ａと複数の壁用部材１４、１４、・・・が接合されることとなる。
【００２５】
以上のように、本実施形態の壁組構造１０によると、複数の柱部材１２、１２ａの間に、複数の壁用部材１４を積み上げるのみで、容易にログハウスの壁Ｗを構築することができる。特に、本実施形態に係る柱部材１２、１２ａや壁用部材１４は、製材が非常に容易であるため、製材コストを抑制することができる。また、木材として間伐材を利用することによって、材料コストの抑制も図ることができるため、結果としてログハウスの建築コストを抑制することができる。
【００２６】
また、本実施形態に係る壁用部材１４には、上面３０側に通水溝３４が形成されているため、積み上げられた壁用部材１４、１４、・・・のそれぞれの部材間に雨水が侵入した際、この雨水を、通水溝３４を介して柱部材１２の案内溝１８に導水することができる。つまり、壁用部材１４、１４間に侵入した雨水は、通水溝３４内に積極的に導かれ、通水溝３４からログハウスの内部Ｓ側への侵入が阻止される。なお、柱部材１２の案内溝１８内を下方へ流れた雨水は、土台２６に予め設けられた、案内溝１８と連通する導水経路２８を介してログハウスの外部へと排水されるため、案内溝１８に雨水が溜まることはない。
【００２７】
更に、通水溝３４は、上記のように壁用部材１４、１４間に侵入した雨水をログハウスの外部へ排水する機能を有すると共に、壁用部材１４に生じる変形やひび割れを抑制する効果がある。木材には、乾燥収縮による変形やひび割れが生じ、特に間伐材においては、当該変形やひび割れの発生が特に問題となっていたが、予め壁用部材１４に通水溝３４を形成しておくことによって、通水溝３４が壁用部材１４に生じる変形やひび割れを吸収して、壁用部材１４への変形やひび割れの発生を抑制することができ、材料コストの抑制が図られる間伐材を積極的に利用することが可能となる。
【００２８】
以上、本発明の実施形態に係る壁組構造１０について詳述したが、本発明の実施形態は上記の形態に限定されるものではない。例えば、図６に示した壁組構造１０ａでは、壁組構造１０ａを構成する複数の壁用部材１４ａに、この壁用部材１４ａの上面３０と下面３２とを貫く貫通孔４２が、複数の壁用部材１４ａを積み上げた際に、上側の壁用部材１４ａに形成された貫通孔４２と下側の壁用部材１４ａに形成された貫通孔４２とが直線状に並ぶように形成されている。
【００２９】
柱部材１２、１２ａ間に複数の壁用部材１４ａを積み上げる際には、上記壁組構造１０と同様、柱部材１２、１２ａに係る案内溝１８に太ぼ４０を嵌挿すると共に、予め土台２６に立設された通しボルト４４を貫通孔４２に挿通する。そして、積み上げられた複数の壁用部材１４ａのうち、最上部の壁用部材１４ａの貫通孔４２から突出した通しボルト４４の先端部にナット４６を螺嵌することによって、複数の壁用部材１４ａが強固に接合されることとなる。つまり、本実施形態に係る壁組構造１０ａによると、壁Ｗの強度が向上されるため、ログハウス全体の強度の向上が図られる。
【００３０】
なお、図６に示した壁組構造１０ａでは、柱部材１２、１２ａに接合される梁部材１３の下面側、即ち最上部の壁用部材１４ａの上面３０と相対する面側に、上記の通しボルト４４の先端部、及びナット４６を収容可能な凹部４８を設けているが、例えば、梁部材１３にも通しボルト４４を挿通可能な貫通孔を設けて、梁部材１３の上面側に突出した通しボルト４４の先端部にナット４６を螺嵌することによって、土台２６、複数の壁用部材１４ａ、及び梁部材１３が一体に接合される構造であってもよい。
【００３１】
また、壁用部材１４ａに形成される貫通孔４２の数は特に限定されず、柱部材間の距離（間口）や壁Ｗの高さ等に応じて、任意に設定することができる。また、貫通孔４２を形成する位置についても、図６に示したように、壁用部材１４ａの長手方向に直角方向の中心部、即ち通水溝３４内に形成してもよく、或いは通水溝３４から左右にずらした位置に形成してもよい。特に、貫通孔４２を通水溝３４内に形成することによって、積み上げられた壁用部材１４ａ間に侵入した雨水を、上記壁組構造１０と同様、柱部材１２の案内溝１８を介してログハウスの外部に排水できると共に、貫通孔４２を介して排水することも可能となる。なお、貫通孔４２を介して雨水をログハウスの外部へ排水するために、土台２６には、予め貫通孔４２と連通する導水経路２８ａを形成しておく必要がある。導水経路２８ａを形成しておくことによって、貫通孔４２内を流下してきた雨水は、貫通孔４２内に溜められることなく、ログハウスの外部へ排水することができる。
【００３２】
以上に例示した本発明の実施形態に係る壁組構造は、本発明の技術的思想を実質的に限定するものと解してはならない。例えば、図５、図６に示した実施形態に係る壁組構造１０、１０ａでは、通水溝３４が壁用部材１４、１４ａの上面３０及び下面３２に対して平行に設けられているが、図７（ａ）に示した壁用部材１４ｂに係る通水溝３４ａのように、通水溝３４ａの底部３５を、壁用部材１４ｂの一方の小口面３６ａから他方の小口面３６ｂに向かって傾斜させてもよい。通水溝３４ａの底部３５を傾斜させることによって、通水溝３４ａに流入した雨水を、柱部材１２の案内溝１８へ積極的に導水することができ、雨水の排水効率を向上することができる。
【００３３】
また、図７（ｂ）も、本発明に係る壁用部材の他の実施形態を示す側面図であるが、同図に示した壁用部材１４ｃのように、上面側を、通水溝３４の上部開口の位置が最も低くなるように凹ませた上面３０ａとし、下面側を、当該上面３０ａに嵌合するように下方へ突出させた下面３２ａとした態様であってもよい。これら上面３０ａ及び下面３２ａが形成された壁用部材１４ｃを本発明の壁組構造に適用することによって、積み上げられた壁用部材１４ｃ間に侵入した雨水を積極的に通水溝３４へ導くことができると共に、ログハウスの内部Ｓ側への雨水の侵入を、より確実に防止することができる。更に、壁用部材１４ｃを積み上げる際、下側の壁用部材１４ｃに係る上面３０ａ側の凹みに、上側の壁用部材１４ｃに係る下面３２ｂ側が嵌合されるため、壁用部材１４ｃの強度を向上することができる。なお、壁用部材１４ｃを本発明の壁組構造に適用する場合、土台２６の直上に載置される壁用部材の下面は、壁用部材１４の下面３２と同様、平面であることが好ましく（壁用部材１４ｄ）、梁部材１３の直下に位置することとなる壁用部材の上面は、壁用部材１４の上面３０と同様、平面であることが好ましい（壁用部材１４ｅ）。
【００３４】
また、図２〜図４に示した柱部材１２ａでは、平行する２面の平面部１６を形成したが、これら平行する２面の平面部１６に直交する平面部１６ａが形成されてもよい。つまり、各図に示した柱部材１２ａにおいて、波線部分で切断して平面部１６ａを形成することによって、ログハウスの内部Ｓ側への柱部材１２ａの出っ張りをなくすことができる。
【００３５】
図８は、本発明に係る柱部材の他の実施形態を示した平面図であるが、同図（ａ）に示した柱部材１２ｂのように、２面の平面部１６のなす角が鋭角となるように形成されてもよい。本発明の壁組構造に柱部材１２ｂを適用することによって、平面形状が矩形、若しくは矩形を組み合わせた形状のログハウスに限定されず、５角形以上の多角形の平面形状をなすログハウスの建築も可能となる。また、同図（ｂ）に示したように、３面の平面部１６を有し、且つ隣接する平面部１６がそれぞれ直角をなす柱部材１２ｃによると、ログハウスの壁ＷをＴ字状に構築することができる。
【００３６】
更に、壁用部材１４、１４ａ等においても、製材コストの抑制等の観点から、平行する上面３０及び下面３２のみを形成することが好ましいが、例えば、ログハウスの内部Ｓ側に面する曲面部１５を切断して、上面３０及び下面３２に直交する平面部が形成されてもよい。壁用部材１４等に当該平面部を形成することによって、ログハウスの内部Ｓ側の壁面は平面状となるため、壁用パネル等の貼着作業が容易となる。
【００３７】
以上、本発明の壁組構造について詳述したが、本発明の壁組構造は、ログハウスのような比較的大きな建築物の壁を構築するために適用し得る他、比較的小さい小屋、物置等の建築物に係る壁、更には犬小屋のような小型建築物に係る壁等を構築するために適用し得る。本発明は、その要旨を逸脱しない範囲で、当業者の創意と工夫により、適宜に改良、変更又は追加をしながら実施できる。
【図面の簡単な説明】
【００３８】
【図１】本発明の壁組構造の一実施形態を示した斜視図である。
【図２】本発明の壁組構造の一実施形態を示した平面図である。
【図３】（ａ）〜（ｃ）は本発明に係る柱部材の一実施形態を示した平面図、正面図、底面図であり、（ｄ）〜（ｅ）は本発明に係る柱部材の他の実施形態を示した平面図、正面図、底面図である。
【図４】（ａ）〜（ｃ）は本発明に係る壁用部材の一実施形態を示した平面図、正面図、側面図である。
【図５】図２におけるＢ−Ｂ’断面図である。
【図６】本発明の壁組構造の他の実施形態を示した断面図である。
【図７】（ａ）は本発明に係る壁用部材の他の実施形態を示した断面図、（ｂ）は本発明に係る壁用部材の他の実施形態を示した側面図である。
【図８】（ａ）及び（ｂ）は本発明に係る柱部材の他の実施形態を示した平面図である。
【符号の説明】
【００３９】
１０、１０ａ：壁組構造
１１：木材
１２、１２ａ〜１２ｃ：柱部材
１４、１４ａ〜１４ｅ：壁用部材
１６、１６ａ：平面部
１８：案内溝
２４：ピン挿入口
２６：土台
３０、３０ａ：上面
３２、３２ａ：下面
３４、３４ａ：通水溝
３６、３６ａ、３６ｂ：小口面
３８：嵌入孔
４０：太ぼ
４２：貫通孔
４４：通しボルト
４６：ナット
Ｓ：ログハウスの内部
Ｗ：壁
【図１】
2008095344.tif 000003
【図２】
2008095344.tif 000004
【図３】
2008095344.tif 000005
【図４】
2008095344.tif 000006
【図５】
2008095344.tif 000007
【図６】
2008095344.tif 000008
【図７】
2008095344.tif 000009
【図８】
2008095344.tif 000010